(57)【要約】【課題】    財団法人日本盲導犬協会の発表によると、平成１５年３月３１日現在、全国で働いている盲導犬の数は９２７頭です。日本全国に盲導犬を育成している団体は、９団体ありますが、１年間に育成し供給できる盲導犬の頭数は、合わせて、約１３０頭前後です。日本で盲導犬を必要とする視覚に障害のある方は、約７，８００人おります。盲導犬の絶対量が非常に不足しています。絶対的に、盲導犬の使役犬としての寿命を長くする必要があり、使役犬として使用中の盲導犬への負担を少なくする必要があります。盲導犬の引退を早めると更に盲導犬の数が足りなくなります。盲導犬が電車に乗り、盲導犬が伏せをするとき、盲導犬の前脚の肘が電車の床との間で擦れて、盲導犬の肘が傷になり、時には、感染症にかかってしまう。また、肘の関節を悪くしてしまう。よって、盲導犬の使役犬としての寿命が短くなる。【解決手段】盲導犬の肘を守るため、盲導犬用のハーネスに前脚肘用のプロテクターを取り付ける。【選択図】  図２
2005073683.tif 000002
【特許請求の範囲】
【請求項１】
ハーネスＢに結合式Ｅを取り付け、犬の前脚肘用の筒状のプロテクターＣに結合式Ｄを取り付け、ハーネスＢの結合式Ｅと犬の前脚肘用の筒状のプロテクターＣの結合式Ｄとを結合して、ハーネスＢに犬の前脚肘用の筒状のプロテクターＣを取り付け、プロテクターＣの肘当部に滑り止めＦを取り付けた、以上のことを特徴とするハーネス。
【請求項２】
ハーネスＢに犬の前脚肘用のプロテクターＣを取り付けた、以上のことを特徴とするハーネス。
【発明の詳細な説明】
【技術分野】
【０００１】  本発明は盲導犬等のハーネスに関する技術分野。
【背景技術】
【０００２】  従来の盲導犬用ハーネスを含む犬用ハーネスには、反射機能付の盲導犬用ハーネ（例えば、特許文献１参照。）。樹脂平ベルトとサイズ調整具とハスカンスナップで構成された、愛犬ドライブ用ハーネス（例えば、特許文献２参照。）。留め具の脱開や断裂を発生せず使用に便利な、犬用カーハーネス（例えば、特許文献３参照。）。樹脂平ベルトとプラスチック製のバックルとサイズ調整具とハスカンスナップで構成された、愛犬ドライブ用ハーネス（例えば、特許文献４参照。）。等、が存在する。
【特許文献１】  特開平１１−１５５４１１号公報
【特許文献２】  実用新案登録第３０６８８７９号公報
【特許文献３】  実用新案登録第３０６７１３２号公報
【特許文献４】  実用新案登録第３０６６６７２号公報
【発明の開示】
【発明が解決しようとする課題】
【０００３】  財団法人日本盲導犬協会の発表によると、平成１５年３月３１日現在、全国で働いている盲導犬の数は９２７頭です。日本全国に盲導犬を育成している団体は、９団体ありますが、１年間に育成し供給できる盲導犬の頭数は、合わせて、約１３０頭前後です。日本で盲導犬を必要とする視覚に障害のある方は、約７，８００人おります。盲導犬の絶対量が非常に不足しています。絶対的に、盲導犬の使役犬としての寿命を長くする必要があり、使役犬として使用中の盲導犬への負担を少なくする必要があります。盲導犬の引退を早めると更に盲導犬の数が足りなくなります。【０００４】  盲導犬が電車に乗り、盲導犬が伏せをするとき、盲導犬の前脚の肘が電車の床との間で擦れて、盲導犬の肘が傷になり、時には、感染症にかかってしまう。また、肘の関節を悪くしてしまう。よって、盲導犬の使役犬としての寿命が短くなる。
【課題を解決するための手段】
【０００５】  盲導犬の肘を守るため、盲導犬用のハーネスに前脚肘用のプロテクターを取り付ける。
【発明の効果】
【０００６】  盲導犬用のハーネスに取り付けた犬の前脚肘用のプロテクターが犬の前脚の肘と電車の床との間で擦れるのを防ぎ、犬の前脚の肘が傷になるのを防ぐ。また、盲導犬用のハーネスに取り付けた犬の前脚肘用プロテクターが肘の関節の悪くなるのを防ぐ。よって、盲導犬への負担も軽くなり、盲導犬の使役犬としての寿命が長くなる。
【発明の実施するための最良の形態】
【０００７】  発明の実施するための最良の形態を実施例にもとづき図面を参照して説明する。
図１において、盲導犬ＡにハーネスＢを装着した図である。
【０００８】  図２において、ハーネスＢに犬の前脚肘用のプロテクターＣを取り付けた、以上のことを特徴とするハーネスである。
【０００９】  図２において、ハーネスＢに結合式Ｅを取り付け、犬の前脚肘用のプロテクターＣに結合式Ｄを取り付け、ハーネスＢの結合式Ｅと犬の前脚肘用のプロテクターＣの結合式Ｄとを結合して、ハーネスＢに犬の前脚肘用のプロテクターＣを取り付けた、以上のことを特徴とするハーネスである。
【００１０】  図３において、ハーネスＢに犬の前脚肘用の筒状のプロテクターＣを取り付け、プロテクターＣの肘当部に滑り止めＦを取り付けた、以上のことを特徴とするハーネスである。
【００１１】  図３において、ハーネスＢに結合式Ｅを取り付け、犬の前脚肘用の筒状のプロテクターＣに結合式Ｄを取り付け、ハーネスＢの結合式Ｅと犬の前脚肘用の筒状のプロテクターＣの結合式Ｄとを結合して、ハーネスＢに犬の前脚肘用の筒状のプロテクターＣを取り付け、プロテクターＣの肘当部に滑り止めＦを取り付けた、以上のことを特徴とするハーネスである。
【実施例１】
【００１２】  発明の実施例を図面参照して説明する。
図２において、合成ゴ厶、合成樹脂または繊維で犬の前脚肘用のプロテクターＣを作り、ハーネスＢに犬の前脚の肘用のプロテクターＣを取り付けた、以上のことを特徴とするハーネスである。
【実施例２】
【００１３】  図２において、繊維または高分子化合物で犬の前脚肘用の筒状のプロテクターＣを作り、ハーネスＢに結合式の穴Ｅを取り付け、犬の前脚肘用の筒状のプロテクターＣに結合式の紐Ｄを取り付け、ハーネスＢの結合式の穴Ｅに犬の前脚肘用の筒状のプロテクターＣの結合式の紐Ｄを結んで結合して、ハーネスＢに犬の前脚肘用の筒状のプロテクターＣを取り付けた、以上のことを特徴とするハーネスである。
【実施例３】
【００１４】  図３において、繊維で犬の前脚肘用のプロテクターＣを作り、高分子化合物で作った滑り止めＦをプロテクターＣの肘当部に取り付け、ハーネスＢに犬の前脚肘用のプロテクターＣを取り付けた、以上のことを特徴とするハーネスである。
【実施例４】
【００１５】  図３において、繊維で犬の前脚肘用の筒状のプロテクターＣを作り、合成樹脂または合成ゴムなどの高分子化合物で作った滑り止めＦをプロテクターＣの肘当部に取り付け、ハーネスＢに結合式の穴Ｅを取り付け、犬の前脚肘用の筒状のプロテクターＣに結合式の紐Ｄを取り付け、ハーネスＢの結合式の穴Ｅに犬の前脚肘用の筒状のプロテクターＣの結合式の紐Ｄを結んで結合して、ハーネスＢに犬の前脚肘用の筒状のプロテクターＣを取り付けた、以上のことを特徴とするハーネスである。
【産業上の利用可能性】
【００１６】  盲導犬の育成費用は１頭につき約２５０万円である。本願の発明により、盲導犬への負担が少なくなり、使役犬としての寿命が長くなり、引退時期を遅れさせる事が出来る。
【図面の簡単な説明】
【００１７】
【図１】ハーネスＢを盲導犬Ａに取り付けた図。
【図２】実施例の前脚肘用のプロテクターＣをハーネスＢに取り付けた図。
【図３】実施例の前脚肘用のプロテクターＣをハーネスＢに取り付けた図。
【符号の説明】
【００１８】  Ａ：盲導犬。                Ｂ：ハーネス。        Ｃ：肘用プロテクター。
Ｄ：結合式の紐。            Ｅ：結合式の穴。
【図１】
2005073683.tif 000003
【図２】
2005073683.tif 000004
【図３】
2005073683.tif 000005